(57)【要約】【課題】蓋体を収納箱本体から取り外しを可能とすると共に、蓋体をヒンジ機能を用いて一方の側からのみ開閉を可能とする。【解決手段】箱本体１の両端側面に連結部材３ｂが回動可能に取り付けられ、連結部材３ｂに対応する蓋体２の側部には、爪部２ａを有する段部２ｂ、凹部２ｄを有する突片２ｃが設けられている。連結部材３ｂには段部２ｂ及び突片２ｃに接合するための挟持片３ｄ、３ｅが設けられ、挟持片３ｄ、３ｅの先端には爪部２ａ、凹部２ｄにそれぞれ係止するための錠止爪３ｆ、３ｇが付設されている。連結部材３ｂを蓋体２に向けて回動させながら押し込むと、挟持片３ｄの錠止爪３ｆ、挟持片３ｅの錠止爪３ｇが、それぞれ爪部２ａ、突片２ｃの端部を乗り越え、箱本体１と蓋体２との錠止がなされる。一方側の連結を外し、その蓋体２の端部を持ち、連結がなされている側の連結部材３ｂのヒンジ機能により、蓋体２を上方に回動させる。【選択図】　　　　図４
2004136941.tif 000002
【特許請求の範囲】
【請求項１】
箱本体と蓋体とから成り、前記箱本体に対して前記蓋体の両側においてこれらを連結する連結機構を有し、該連結機構は前記箱本体に連結部材の一端を軸部を介して回動自在に軸支し、前記錠止又は連結時において前記連結部材の他端により前記蓋体の端部を挟持可能とし、前記箱本体と前記蓋体を閉止した状態において、前記連結部材により前記蓋体の端部を把持して連結することにより前記連結機構を錠止状態とし、前記蓋体の一方の側を連結し他方の側を非連結とした状態において、連結した側の前記連結部材の軸部を中心としたヒンジ機能により前記蓋体を非連結側から開閉可能とすることを特徴とする蓋付収納箱。
【請求項２】
前記連結部材は軸部を介して前記箱本体に常時取り付けてある請求項１に記載の蓋付収納箱。
【請求項３】
前記収納箱本体の下面に複数個の車輪を有する蓋付収納箱。
【発明の詳細な説明】
【０００１】
【発明の属する技術分野】
本発明は、例えば衣類や書籍等の物品を整理収納するために用いる蓋付収納箱に関するものである。
【０００２】
【従来の技術】
従来、この種の蓋付収納箱は整理箱本体と蓋体から構成され、収納箱本体に衣類等の物品を収納したり、物品を取り出す際には蓋体の両端に設けられている錠止機構を解除した後に、収納箱本体から蓋体を取り外して、物品を収納したり取り出している。
【０００３】
【発明が解決しようとする課題】
しかしながら従来の蓋付収納箱においては、物品を取り出し又は収納する度に、蓋体を取り外して脇に置く必要があり、急いでいる場合等には煩わしい。また、収納箱を押入に入れたりするなどして、周囲が狭い場合においては、蓋体上に置いてある物品を取り除いてから、蓋体を取り外さなければならず、また取り外した蓋体の置場に困る場合もある。
【０００４】
本発明の目的は、上述の課題を解決し、従来例と同様に蓋体を収納箱本体から取り外し可能とすると共に、必要に応じて蓋体をヒンジ機能により開閉可能とする蓋付収納箱を提供することにある。
【０００５】
【課題を解決するための手段】
上記目的を達成するための本発明に係る蓋付収納箱は、箱本体と蓋体とから成り、前記箱本体に対して前記蓋体の両側においてこれらを連結する連結機構を有し、該連結機構は前記箱本体に連結部材の一端を軸部を介して回動自在に軸支し、前記錠止又は連結時において前記連結部材の他端により前記蓋体の端部を挟持可能とし、前記箱本体と前記蓋体を閉止した状態において、前記連結部材により前記蓋体の端部を把持して連結することにより前記連結機構を錠止状態とし、前記蓋体の一方の側を連結し他方の側を非連結とした状態において、連結した側の前記連結部材の軸部を中心としたヒンジ機能により前記蓋体を非連結側から開閉可能とすることを特徴とする。
【０００６】
【発明の実施の形態】
本発明を図示の実施の形態に基づいて詳細に説明する。
図１は本実施の形態における蓋付収納箱の蓋体を閉止した状態の斜視図を示しており、合成樹脂から成る箱本体１の上部には、同様に合成樹脂から成る蓋体２が被せられ、左右の同形の連結機構３により錠止されている。また、箱本体１の下面には、蓋付収納箱の移動を容易とするための車輪４が四隅及び図示しない底部の中心に設けられている。
【０００７】
図２は連結機構３の拡大断面図を示しており、箱本体１の両端側面には、軸部３ａを介して連結部材３ｂが箱本体１に対し回動可能に取り付けられている。この連結部材３ｂに対応する蓋体２の側部には、蓋体２の表面から部分的に低くなり、一部に爪部２ａを有する段部２ｂ、及びこの段部２ｂに続いて下降し外側に張り出す突片２ｃが設けられ、突片２ｃの裏側には凹部２ｄが設けられている。
【０００８】
連結部材３ｂの下部３ｃは平坦面とされ、上端部及び中央部には蓋体２の段部２ｂ及び突片２ｃに接合するための幅広の挟持片３ｄ、３ｅが設けられている。更に、挟持片３ｄ、３ｅの先端に一部の単数又は複数個所に、蓋体２の爪部２ａ、凹部２ｄにそれぞれ係止するための錠止爪３ｆ、３ｇが付設されている。
【０００９】
図３は箱本体１に蓋体２を被せ、左側の連結機構３は錠止直前の状態、右側の連結機構３は錠止がなされた状態の断面図である。箱本体１に蓋体２を取り付けた状態で、連結部材３ｂを蓋体２に向けて軸部３ａを中心に回動させながら、左側の状態から右側の連結状態となるように押し込むと、連結部材３ｂの挟持片３ｄ、３ｅは蓋体２の段部２ｂ、突片２ｃを挟み付けるように入り込む。連結部材３ｂが所定位置まで押し込まれ、挟持片３ｄの錠止爪３ｆ、挟持片３ｅの錠止爪３ｇが、それぞれ爪部２ａ、突片２ｃの端部をカチンと音をたてて乗り越えることにより、連結、錠止がなされる。
【００１０】
蓋体２と連結部材３ｂとの合成樹脂材による弾性も相まって、連結部材３ｂは蓋体２の端部を把持することになり、箱本体１と蓋体２との確実な連結、錠止がなされる。また、両側の連結部材３を錠止した状態で、これらの連結部材３ｂの下部３ｃに手をかけて、この蓋付収納箱を運搬することができる。
【００１１】
蓋体２を外すには連結部材３による錠止を解除すればよい。錠止の解除は、連結部材３ｂの上部を押しながら斜め下方に回動し、錠止爪３ｆ、３ｇを蓋体２から外す。
【００１２】
図４は一方の連結機構３の連結を解除し、蓋体２を回動させた状態の断面図を示している。連結を解除した側の蓋体２の端部を持ち、連結がなされている側の連結部材３ｂの軸部３ａを支点とするヒンジ機能により、蓋体２を上方に回動させることができる。
【００１３】
また、このヒンジ機能による回動に際して、連結部材３ｂの下部３ｃが箱本体１の側面に当接することにより回動が規制されるが、蓋体２は約１００゜の範囲で開閉が可能である。また、蓋体２は約９０゜以上の回動により、自立可能に開放することができる。
【００１４】
【発明の効果】
以上説明したように本発明に係る蓋付収納箱は、蓋体を収納箱本体から取り外しを可能とすると共に、蓋体をヒンジ機能を用いて一方の側からのみ開閉を可能とすることができる。
【図面の簡単な説明】
【図１】蓋付収納箱の斜視図である。
【図２】連結機構の拡大断面図である。
【図３】箱本体に蓋体を被着して錠止する状態の断面図である。
【図４】箱本体に対し蓋体をヒンジ機能を介して持ち上げた状態の断面図である。
【符号の説明】
１　箱本体
２　蓋体
２ａ　爪部
２ｂ　段部
２ｃ　突片
２ｄ　凹部
３　連結機構
３ａ　軸部
３ｂ　連結部材
３ｃ　下部
３ｄ、３ｅ　把持片
３ｆ、３ｇ　錠止爪
４　車輪
【図１】
2004136941.tif 000003
【図２】
2004136941.tif 000004
【図３】
2004136941.tif 000005
【図４】
2004136941.tif 000006